【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
放送局とその系列局とを対応付けて記憶する系列局情報に対して、前記放送局及び前記系列局からの放送波から取得した、それぞれの放送局を選局するために必要な選局情報と、前記放送局及び前記系列局からの放送波から取得した、それぞれの放送局が放送を行っている受信サービス領域とを、さらに対応付けて記憶する系列局記憶部と、
前記放送波から取得した受信サービス領域間の過去の移動履歴と、この移動履歴に基づいてある受信サービス領域から次にどこに移動する可能性が高いかという優先順位とを対応付けた切替履歴情報とを、各受信サービス領域毎に対応付けて記憶する切替履歴記憶部と、
番組を受信するために前記放送局又は前記系列局のいずれかひとつを選局するとともに、選局された放送局又は系列局の前記受信サービス領域を推定できる情報を放送波から取得する選局制御部と
を備えるデジタル放送受信装置であって、
前記選局制御部は、
視聴中の番組を放送している放送局の受信サービス領域から他の受信サービス領域に移動したことにより、受信信号が現状受信不可となった場合には、
現在どこに移動した可能性が高いかを前記切替履歴情報に基づいて推定し、
その移動先の受信サービス領域を推定する移動先受信サービス領域推定処理を行い、
前記推定された移動先の受信サービス領域で選局することができる、前記視聴中の番組を放送している放送局の系列局を、移動先地域受信可系列局として前記系列局情報より特定する移動先地域受信可系列局特定処理を行い、
前記移動先地域受信可系列局特定処理によって特定した前記移動先地域受信可系列局の選局を優先的に行う
ことを特徴とするデジタル放送受信装置。
【請求項２】
請求項１に記載のデジタル放送受信装置であって、
ある受信サービス領域を特定する情報と、当該受信サービス領域に隣接する他の受信サービス領域を特定する情報とを対応づけた隣接地域情報を記憶する隣接地域記憶部をさらに備え、
前記選局制御部は、
前記移動先地域受信可系列局を選局できなかった場合に、前記視聴中の番組を放送している放送局の受信サービス領域に隣接する隣接受信サービス領域を、前記隣接地域情報に基づいて推定する隣接受信サービス領域推定処理を行い、
前記推定された隣接受信サービス領域で選局することができる、前記視聴中の番組を放送している放送局の系列局を、隣接地域受信可系列局として前記系列局情報から特定する隣接地域受信可系列局特定処理を行い、
前記隣接地域受信可系列局特定処理によって特定した前記隣接地域受信可系列局の選局を優先的に行う
ことを特徴とするデジタル放送受信装置。
【請求項３】
請求項１又は２に記載のデジタル放送受信装置であって、
現状受信可状態である前記移動先地域受信可系列局が選局できなかった場合、又は、現状受信可状態である前記隣接地域受信可系列局が選局できなかった場合に、前記選局制御部は、
未選局であるチャンネルに対して順次サーチを行って現状受信可状態である放送局を検出するチャンネルサーチ処理を行い、
前記チャンネルサーチ処理により見つかった現状受信可状態である放送局が、前記視聴中の番組を放送している放送局の系列局ではなかった場合には、前記チャンネルサーチ処理により見つかった、現状受信可状態である放送局の受信信号から取得した受信サービス領域を現在受信サービス領域として推定する現在受信サービス領域推定処理を行い、
前記推定された現在受信サービス領域で選局することができる、前記視聴中の番組を放送している放送局の系列局を、現在地域受信可系列局として前記系列局情報から特定する現在地域受信可系列局特定処理を行い、
前記現在地域受信可系列局特定処理によって特定した前記現在地域受信可系列局の選局を優先的に行う
ことを特徴とするデジタル放送受信装置。
【請求項４】
請求項１から３の何れか１項に記載のデジタル放送受信装置であって、
直前に選局された放送局が放送を行う受信サービス領域を示す情報を、直前受信サービス領域として記憶する直前受信サービス領域記憶部をさらに備え、
前記選局制御部は、
ある系列局に切り替わった後に、さらにその受信信号が現状受信不可になった場合には、
系列局に切り替えた後に現状受信可状態に一度もなったことが無い場合には、現在選局中の放送局の受信サービス領域と前記直前受信サービス領域との境界部分に、現在位置が含まれていると判断する、直前受信サービス領域境界付近判定処理を行い、
前記直前受信サービス領域境界付近判定処理によって、前記現在位置が前記境界部分に含まれていると判断した場合は、前記直前受信サービス領域記憶部から前記直前受信サービス領域を取得し、
この直前受信サービス領域における前記選局中の放送局の系列局を、直前受信可系列局として前記系列局情報から特定する直前受信可系列局特定処理を行い、
前記直前系列局受信可特定処理によって特定した前記直前受信可系列局情報を優先的に選局する
ことを特徴とするデジタル放送受信装置。
【請求項５】
請求項１から４の何れか１項に記載のデジタル放送受信装置であって、
前記受信サービス領域を特定する情報として、ＰＳＩ／ＳＩの中のＮＩＴ／ＳＤＴ／ＰＡＴセクションにおけるｓｖ＿ｉｄの値から取得した地域識別コードの値、又は、ＮＩＴセクションで伝送される地上分配記述子に含まれるａｒｅａ＿ｃｏｄｅのフィールドの値を用いることを特徴とするデジタル放送受信装置。
【請求項６】
請求項１から４の何れか１項に記載のデジタル放送受信装置であって、
前記受信サービス領域を特定する情報として、
ｏｒｉｇｉｎａｌ＿ｎｅｔｗｏｒｋ＿ｉｄ、及び、ｎｅｔｗｏｒｋ＿ｉｄの値を用いることを特徴とするデジタル放送受信装置。
【請求項７】
放送局とその系列局とを対応付けて記憶する系列局情報に対して、前記放送局及び前記系列局を選局するために必要な選局情報と、それぞれの放送局が放送を行っている受信サービス領域とをさらに対応付けて系列局記憶手段に記憶させる系列局記憶ステップと、
前記受信サービス領域間の過去の移動履歴と、この移動履歴に基づいてある受信サービス領域から次にどこに移動する可能性が高いかという優先順位とを対応付けた切替履歴情報を各受信サービス領域毎に対応付けて切替履歴記憶手段に記憶させる切替履歴記憶ステップと、
番組を受信するために前記放送局又は前記系列局のいずれかひとつを選局するとともに、選局された放送局又は系列局の前記受信サービス領域を推定できる情報を放送波から取得する選局制御ステップと
を備えるデジタル放送受信方法であって、
前記選局制御ステップは、
視聴中の番組を放送している放送局の受信サービス領域から他の受信サービス領域に移動したことにより、受信信号が現状受信不可となった場合には、
現在どこに移動した可能性が高いかを前記切替履歴情報に基づいて推定するステップと、
その移動先の受信サービス領域を推定する移動先受信サービス領域推定処理を行うステップと、
前記推定された移動先の受信サービス領域で選局することができる、前記視聴中の番組を放送している放送局の系列局を、移動先地域受信可系列局として前記系列局情報より特定する移動先地域受信可系列局特定処理を行うステップと、
前記移動先地域受信可系列局特定処理によって特定した前記移動先地域受信可系列局の選局を優先的に行うステップと
を有することを特徴とするデジタル放送受信方法。
【請求項８】
請求項７に記載のデジタル放送受信方法であって、
ある受信サービス領域を特定する情報と、当該受信サービス領域に隣接する他の受信サービス領域を特定する情報とを対応づけた隣接地域情報を隣接地域記憶手段に記憶させる隣接地域記憶ステップをさらに備え、
前記選局制御ステップは、
前記移動先地域受信可系列局を選局できなかった場合に、前記視聴中の番組を放送している放送局の受信サービス領域に隣接する隣接受信サービス領域を、前記隣接地域情報に基づいて推定する隣接受信サービス領域推定処理を行うステップと、
前記推定された隣接受信サービス領域で選局することができる、前記視聴中の番組を放送している放送局の系列局を、隣接地域受信可系列局として前記系列局情報から特定する隣接地域受信可系列局特定処理を行うステップと、
前記隣接地域受信可系列局特定処理によって特定した前記隣接地域受信可系列局の選局を優先的に行うステップと
を有することを特徴とするデジタル放送受信方法。
【請求項９】
請求項７又は８に記載のデジタル放送受信方法であって、
現状受信可状態である前記移動先地域受信可系列局が選局できなかった場合、又は、現状受信可状態である前記隣接地域受信可系列局が選局できなかった場合に、前記選局制御ステップにおいて、
未選局であるチャンネルに対して順次サーチを行って現状受信可状態である放送局を検出するチャンネルサーチ処理を行い、
前記チャンネルサーチ処理により見つかった現状受信可状態である放送局が、前記視聴中の番組を放送している放送局の系列局ではなかった場合には、前記チャンネルサーチ処理により見つかった、現状受信可状態である放送局の受信信号から取得した受信サービス領域を現在受信サービス領域として推定する現在受信サービス領域推定処理を行い、
前記推定された現在受信サービス領域で選局することができる、前記視聴中の番組を放送している放送局の系列局を、現在地域受信可系列局として前記系列局情報から特定する現在地域受信可系列局特定処理を行い、
前記現在地域受信可系列局特定処理によって特定した前記現在地域受信可系列局の選局を優先的に行う
を行うことを特徴とするデジタル放送受信方法。
【請求項１０】
請求項７から９の何れか１項に記載のデジタル放送受信方法であって、
直前に選局された放送局が放送を行う受信サービス領域を示す情報を、直前受信サービス領域として直前受信サービス領域記憶手段に記憶させる直前受信サービス領域記憶ステップをさらに備え、
前記選局制御ステップにおいて、
ある系列局に切り替わった後に、さらにその受信信号が現状受信不可になった場合には、
系列局に切り替えた後に現状受信可状態に一度もなったことが無い場合には、現在選局中の放送局の受信サービス領域と前記直前受信サービス領域との境界部分に、現在位置が含まれていると判断する、直前受信サービス領域境界付近判定処理を行い、
前記直前受信サービス領域境界付近判定処理によって前記現在位置が前記境界部分に含まれていると判断した場合は、前記直前受信サービス領域記憶部から前記直前受信サービス領域を取得し、
この直前受信サービス領域における前記選局中の放送局の系列局を、直前受信可系列局として前記系列局情報から特定する直前受信可系列局特定処理を行い、
前記直前系列局受信可特定処理によって特定した前記直前受信可系列局情報を優先的に選局する
ことを特徴とするデジタル放送受信方法。
【請求項１１】
請求項７から１０の何れか１項に記載のデジタル放送受信方法であって、
前記受信サービス領域を特定する情報として、ＰＳＩ／ＳＩの中のＮＩＴ／ＳＤＴ／ＰＡＴセクションにおけるｓｖ＿ｉｄの値から取得した地域識別コードの値、又は、ＮＩＴセクションで伝送される地上分配記述子に含まれるａｒｅａ＿ｃｏｄｅのフィールドの値を用いることを特徴とするデジタル放送受信方法。
【請求項１２】
請求項７から１０の何れか１項に記載のデジタル放送受信方法であって、
装置前記受信サービス領域を特定する情報として、ｏｒｉｇｉｎａｌ＿ｎｅｔｗｏｒｋ＿ｉｄ及びｎｅｔｗｏｒｋ＿ｉｄの値を用いることを特徴とするデジタル放送受信方法。
【手続補正２】
【補正対象書類名】明細書
【補正対象項目名】発明の名称
【補正方法】変更
【補正の内容】
【発明の名称】デジタル放送受信装置及びデジタル放送受信方法
【手続補正３】
【補正対象書類名】明細書
【補正対象項目名】０００７
【補正方法】変更
【補正の内容】
【０００７】
本発明の一態様に係るデジタル放送受信装置は、放送局とその系列局とを対応付けて記憶する系列局情報に対して、前記放送局及び前記系列局からの放送波から取得した、それぞれの放送局を選局するために必要な選局情報と、前記放送局及び前記系列局からの放送波から取得した、それぞれの放送局が放送を行っている受信サービス領域とを、さらに対応付けて記憶する系列局記憶部と、前記放送波から取得した受信サービス領域間の過去の移動履歴と、この移動履歴に基づいてある受信サービス領域から次にどこに移動する可能性が高いかという優先順位とを対応付けた切替履歴情報とを、各受信サービス領域毎に対応付けて記憶する切替履歴記憶部と、番組を受信するために前記放送局又は前記系列局のいずれかひとつを選局するとともに、選局された放送局又は系列局の前記受信サービス領域を推定できる情報を放送波から取得する選局制御部とを備えるデジタル放送受信装置であって、前記選局制御部は、視聴中の番組を放送している放送局の受信サービス領域から他の受信サービス領域に移動したことにより、受信信号が現状受信不可となった場合には、現在どこに移動した可能性が高いかを前記切替履歴情報に基づいて推定し、その移動先の受信サービス領域を推定する移動先受信サービス領域推定処理を行い、前記推定された移動先の受信サービス領域で選局することができる、前記視聴中の番組を放送している放送局の系列局を、移動先地域受信可系列局として前記系列局情報より特定する移動先地域受信可系列局特定処理を行い、前記移動先地域受信可系列局特定処理によって特定した前記移動先地域受信可系列局の選局を優先的に行うことを特徴としている。